(57)【特許請求の範囲】
【請求項１】
放電により発光する発光部を有するバルブと、このバルブに結合されることにより前記発光部を電源に接続するソケットとを備えた放電式ランプにおいて、
前記ソケットとこのソケットにつながる電線とを跨って覆うシールド用導体編組を備え、
前記導体編組の端部に、当該導体編組がソケットを覆う状態で当該ソケットに取付けられる取付部を設け、
前記バルブに前記発光部をその一部が露出する状態で覆うシールドカバーを設ける一方、前記導体編組の端部に設けた取付部を導体で構成し、
前記取付部の内周面及びソケットの外周面に相互嵌合可能な凹凸を設け、その凹凸が嵌合する相対角度位置で前記取付部が前記シールドカバーと係合することにより当該取付部が当該シールドカバーに直接接触した状態で前記ソケットに取付けられるように構成したことを特徴とする放電式ランプ。
【発明の詳細な説明】
【０００１】
【発明の属する技術分野】
本発明は、車両のへッドランプなどに使用される放電式ランプに関するものである。
【０００２】
【従来の技術】
近年、車両のへッドランプ等に用いられる点灯手段として、ＨＩＤ（High-Intensity Discharge）ランプをはじめとする放電式ランプが注目を集めている。この放電式ランプは、低消費電力でありながら、従前のハロゲンランプよりも輝度が高く、また長寿命であるという利点を有している。ただし、このＨＩＤランプの点灯の際には高電圧を発生させるため、その高電圧発生により他の電子機器に悪影響を与えないように、当該ランプ及びこれに接続される電線を電気的にシールドする必要がある（例えば特開平９−２０４８０１号公報参照）。
【０００３】
その構造の一例を図１〜図１２に示す。図示の放電式ランプは、バルブ２１０、及び、これに結合されるソケット２３０を備えている。
【０００４】
バルブ２１０には、発光部２１２、灯具２１４、及びシールドカバー２１６が設けられている。発光部２１２は、バルブ２１０の先端側で前後方向に延び、放電による発光を行う。灯具２１４は、バルブ２１２のすぐ後方に位置し、バルブ２１２から放たれた光を前方に反射させる。シールドカバー２１６は、バルブ２１２を側方に露出させた状態で当該バルブ２１２を前方から覆う。
【０００５】
バルブ２１０の後部はソケット結合部２２０とされ、このソケット結合部２２０に前記ソケット２３０が着脱可能に嵌合されるようになっている。このソケット結合部２２０には、前記発光部２１２の高圧電極２２２及び低圧電極２２４が露出している。具体的には、ソケット結合部２２０の後部に高圧電極２２２の端部がリング状に露出し、その外側を同じくリング状に取り巻くように低圧電極２２４の端部が露出している。
【０００６】
ソケット２３０には、高圧ソケット端子２３２及び低圧ソケット端子２３４が固定されている。これらソケット端子２３２，２３４の前端部（図２では上端部）には電極接触部２３２ｂ，２３４ｂが、後端部には端子接触部２３２ａ，２３４ａがそれぞれ形成され、ソケット２３０とバルブ２１０のソケット結合部２２０とが嵌合された状態で高圧ソケット端子２３２の電極接触部２３２ｂ及び低圧ソケット端子２３２の電極接触部２３４ｂがそれぞれ前記高圧電極２２２及び低圧電極２２４に接触するように各ソケット端子２３２，２３４が配置されている。
【０００７】
一方、このランプに給電を行うための電線２６０の端部には電線端子２６２が装着され、この電線端子２６２に形成された突出片２６２ａが前記ソケット２３０内でそのソケット端子２３２，２３４の端子接触部２３２ａ，２３４ａに各々嵌着されるようになっている。また、これら電線２６０及び電線端子２６２はソケットカバー２４０によって背後から覆われるようになっている。
【０００８】
なお、図１及び図３において２９０は、ソケット結合部２２０とソケット２３０とが完全に結合されたか否かを検知するためにソケット２３０に設けられるスイッチ端子である。
【０００９】
前記ソケット結合部２２０とソケット２３０との嵌合構造は次のとおりである。図９に示すように、ソケット結合部２２０の外周面には、径方向に突出する２つの突起２２７が１８０°間隔で形成されている。これに対し、ソケット２３０の外周壁には、４つの嵌合溝２３７が９０°間隔で形成されている。各嵌合溝２３７は、ソケット２３０の軸方向端に開放された突起入口２３７ａから周方向に延び、その終端は突起２２７が進入できないほど小幅の小幅部２３７ｂとなっている。換言すれば、この小幅部２３７ｂのすぐ手前側の位置まで突起２２７が嵌合溝２３７内で周方向に進入可能となっている。
【００１０】
なお、嵌合溝２３７の個数を突起２２７の個数より多くしているのは、ソケット結合部２２０に対するソケット２３０の取付角度を９０°間隔で変更できるようにするためである。
【００１１】
次に、このランプにおけるシールド構造を説明する。各電線２６０は、銅などからなる編組２８０で覆われるようになっており、この編組２８０の端部には固定金具２８２がカシメ等の手段で固定されている。この固定金具２８２の両側壁には、当該側壁から両外側に広がる接触用ばね片２８３が形成されている。そして、この固定金具２８２がソケット２３０の電線導入口に装着されるとともに、ソケット２３０に対してその全体を覆う形状のシールドカバー２５０が装着され、かつ、このシールドカバー２５０の内面と前記固定金具２８２のばね片２８３とが接触することにより、ソケット２３０から電線２６０にかけてこれらを一連に覆うシールド構造が形成されるようになっている。
【００１２】
次に、このランプの組立要領を説明する。
【００１３】
▲１▼  図３に示すように、ソケット２３０内に高圧端子２３２、低圧端子２３４、シール部材２３６、及びスイッチ端子２９０を装着する。
【００１４】
▲２▼  図４に示す各電線２６０を図５に示すソケット内電線溝２３８内にセットし、各電線端子２６２をソケット端子２３２，２３４に結合する。そして、その上から図５に示すシール部材２７０を嵌め込み、これをさらに図６に示すソケットカバー２４０で覆う。
【００１５】
▲３▼  図７に示すようにソケット２３０の電線導入部２３９とソケットカバー２４０の電線導入部２４９とが合わされた部分に、編組２８０の端部に固定された編組固定金具２８２を外嵌し、固定する（図８の状態）。編組２８０は図略の回路を通じてアースに接続しておく。
【００１６】
▲４▼  図９〜図１１に示す要領で、ソケット２３０をソケット結合部２２０に嵌合する。まず、各突起２２７が適当な嵌合溝２３７内にその突起入口２３７ａから軸方向に進入するようにしてソケット２３０とソケット結合部２２０とを軸方向に嵌め合わせて仮嵌合する（図９→図１０）。次に、ソケット２３０をソケット結合部２２０に対して相対回転させることにより突起２２７を嵌合溝２３７の奥まで（小幅溝２３７ｂのすぐ手前側の位置まで）周方向に進入させて本嵌合する（図１１）。
【００１７】
▲５▼  図１１に示すシールドカバー２５０を図１２に示すように当該カバー２５０がソケット２３０を外側から覆う位置に装着する。このとき、ソケット用シールドカバー２５０に形成されている接触部２５８の切欠２５８ａと、バルブ用シールドカバー２１６の接触部２１８に形成されているばね片２１８ａとが係合するとともに、前記シールドカバー２５０と編組固定金具２８２のばね片２８３とが接触することにより、両シールドカバー２１６，２５０が編組固定金具２８２及び編組２８０とともにアースに接続された状態となる。これにより、バルブ２１０、ソケット２３０、及び電線２６０が連続してシールドされた状態となる。
【００１８】
【発明が解決しようとする課題】
前記従来構造では、ソケット２３０及び電線２６０を一連してシールドするのに編組２８０、編組固定金具２８２、及びシールドカバー２５０が必要であり、部品点数が多い。しかも、編組固定金具２８２をソケット２３０に固定してからさらにその上にシールドカバー２５０を装着する作業が必要であり、組立に手間がかかる。従って、その分コストが増大する。また、編組固定金具２８２とシールドカバー２５０とを確実に接触させないとシールドカバー２５０，２１８がアースから切離されるおそれがあるため、高い接続信頼性（シールドの確実性）を確保するために前記接触用ばね片２８３を設けるなどの工夫が必要であり、構造はますます複雑となる。
【００１９】
本発明は、このような事情に鑑み、簡単且つ低コストの構造で、ソケット及びこれにつながる電線を確実にシールドすることができる放電式ランプを提供することを目的とする。
【００２０】
【課題を解決するための手段】
上記課題を解決するための手段として、本発明は、放電により発光する発光部を有するバルブと、このバルブに結合されることにより前記発光部を電源に接続するソケットとを備えた放電式ランプにおいて、前記ソケットとこのソケットにつながる電線とを跨って覆うシールド用導体編組を備え、前記導体編組の端部に、当該導体編組がソケットを覆う状態で当該ソケットに取付けられる取付部を設け、前記バルブに前記発光部をその一部が露出する状態で覆うシールドカバーを設ける一方、前記導体編組の端部に設けた取付部を導体で構成し、前記取付部の内周面及びソケットの外周面に相互嵌合可能な凹凸を設け、その凹凸が嵌合する相対角度位置で前記取付部が前記シールドカバーと係合することにより当該取付部が当該シールドカバーに直接接触した状態で前記ソケットに取付けられるように構成したものである。
【００２１】
なお、このシールド用導体編組は、必ずしも前記電線の全長を覆うものでなくてもよく、当該電線のうち前記ソケットに比較的近い部分のみを覆うものであってもよい。
【００２２】
前記構成によれば、導体編組がソケットとこれにつながる電線とを跨って覆うようにしているので、従来のように電線とソケットとを各々別部材でシールドする構造に比べ、部品点数が少なくなるとともに、組立作業が簡単になる。また、導体編組をアースに接続すれば、この導体編組によってソケット、電線の双方を確実にシールドすることができるため、信頼性も高い。
【００２３】
前記導体編組の端部に、当該導体編組がソケットを覆う状態で当該ソケットに取付けられる取付部を設けているので、その取付作業がより簡便になる。
【００２４】
さらに、前記バルブに前記発光部をその一部が露出する状態で覆うシールドカバーを設ける一方、前記導体編組の端部に設けた取付部を導体で構成し、この取付部が前記シールドカバーに直接接触した状態でソケットに取付けられるようにしているので、簡単な構造でバルブ用シールドカバーと導体編組の双方を確実にアース接続でき、より好ましいシールド構造を構築することができる。
【００２５】
具体的には、前記取付部の内周面及びソケットの外周面に相互嵌合可能な凹凸を設け、その凹凸が嵌合する相対角度位置で前記取付部が前記シールドカバーと係合するように構成しているので、前記凹凸の位置を目安にして取付部とシールドカバーとの係合を簡単に行うことが可能になる。
【００２６】
【発明の実施の形態】
本発明の好ましい実施の形態を図１３〜図２８に基づいて説明する。
【００２７】
図示の放電式ランプは、バルブ１０と、これに結合されるソケット３０とを備えている。
【００２８】
バルブ１０には、発光部１２、灯具１４、及びシールドカバー１６が設けられている。発光部１２は、バルブ１０の先端側で前後方向に延び、放電による発光を行う。灯具１４は、バルブ１２のすぐ後方に位置し、バルブ１２から放たれた光を前方に反射させる。シールドカバー１６は、バルブ１２を側方に露出させた状態で当該バルブ１２を前方から覆う。
【００２９】
このバルブ１０の後部はソケット結合部２０とされており、このソケット結合部２０に前記ソケット３０が着脱可能に嵌合されるようになっている。このソケット結合部２０には、前記発光部１２の高圧電極２２及び低圧電極２４が露出している。
【００３０】
具体的には、ソケット結合部２０の後部（図１３では右側部、図１７では上側部）中央に凹部が形成され、この凹部の中央に突出柱２３が形成されており、この突出柱２３の外周面に高圧電極２２の端部がリング状に露出し、その外側を同じくリング状に取り巻くように低圧電極２４の端部がソケット結合部３０の外周面に露出している。また、ソケット結合部２０の後面には前記シールドカバー１６から延びる一対の接触部１８が露出しており、これら接触部１８には後方に突出するばね片１８ａが形成されている。
【００３１】
ソケット３０には、高圧ソケット端子３２及び低圧ソケット端子３４が固定されている。これらソケット端子３２，３４の前端部（図１４では上端部）には電極接触部３２ｂ，３４ｂが、後端部には端子接触部３２ａ，３４ａがそれぞれ形成され、ソケット３０とバルブ１０のソケット結合部２０とが結合された状態で高圧ソケット端子３２の電極接触部３２ｂ及び低圧ソケット端子３２の電極接触部３４ｂがそれぞれ前記高圧電極２２及び低圧電極２４に接触するように各ソケット端子３２，３４が配置されている。また、高圧ソケット端子３２と低圧ソケット端子３４との間には、両者間を電気的にシールするためのゴム等からなるシール部材（絶縁部材）３６が設けられている。
【００３２】
このソケット３０の後部（図１５では下側部）にはモールド室３０ａが形成され、このモールド室３０ａ内に前記端子接触部３２ａ，３４ａが突出するようにソケット端子３２，３４が配設されている。
【００３３】
一方、このランプに給電を行うための電線６０のうち、高圧電線の端部には高圧電線端子６２が、低圧電線の端部には低圧電線端子６４が各々装着されている。各電線端子６２，６４には、前記モールド室３０ａ内に突出するソケット端子３２，３４の端子接触部３２ａ，３４ａが各々嵌入可能な嵌入隙間６２ａ，６４ａが形成されている。
【００３４】
前記ソケット結合部２０とソケット３０との嵌合構造は次のとおりである。図１７に示すように、ソケット結合部２０の外周面には、径方向に突出する２つの突起２７が１８０°間隔で形成されている。
【００３５】
これに対し、ソケット３０の外周壁後端には、４つの嵌合溝３７が９０°間隔で形成されている。各嵌合溝３７は、ソケット３０の軸方向端に開放された突起入口３７ａから周方向に延び、その終端は、図１９及び図２１に示すように突起２７が進入できないほど小幅の小幅部３７ｂとなっている。そして、この小幅部３７ｂのすぐ手前側の位置に前記突起２７の外形に対応する形状の嵌入孔部３７ｃが形成され、この嵌入孔部３７ｃに嵌入する位置まで突起２７が嵌合溝３７内を周方向に進入できるようになっている。
【００３６】
なお、嵌合溝３７の個数を突起２７の個数より多くしているのは、ソケット結合部２０に対するソケット３０の取付角度を９０°間隔で変更できるようにするためである。
【００３７】
このランプの特徴として、前記各電線６０さらには当該電線６０を跨って覆う編組８０が具備されている。この編組８０は、銅等の導電材料（導体）を編み込んでなり、その端部に固定金具（取付部）５０が固定されている。
【００３８】
この固定金具５０は、導体からなり、本実施形態では、周方向一部が欠如した略Ｃ字状の断面形状を有している。その周壁にはコ字状のスリット５１が形成され、このスリット５１で囲まれた部分が図２２に示すように外側に膨出して挟み片５２を構成しており、この挟み片５２と固定金具５０の周壁との間に編組８０の端部を挟み込んで固定金具５０をかしめることにより、当該編組８０の端部に固定金具５０が固定されている。
【００３９】
固定金具５０の軸方向端部はフランジ状に形成され、当該端部に径方向に突出する一対の接触部５８が形成されている。この接触部５８には、互いに間隔をおいて対向する一対の突出片５８ａが形成され、これら突出片５８ａの間に前記シールドカバー１６における接触部１８のばね片１８ａが嵌入されることにより、接触部１８，５８同士が接触する（すなわち固定金具５０とシールドカバー１６とが電気的に接続される）ようになっている。
【００４０】
前記ソケット３０の外周面には、軸方向に延びる複数の凸部３５が形成される一方、固定金具５０の内周面には、前記凸部３５に嵌入可能な凹溝５５が形成されている。そして、これら凸部３５と凹溝５５とが嵌合する相対角度位置でのみ前記突出片５８ａとばね片１８ａとの嵌合が可能となるようにその形成位置が設定されている。
【００４１】
なお、ソケット３０の周方向一部には、当該ソケット３０の外周面とともに編組８０を挟み込む編組押え片３０ｂが形成され、図２４に示すように編組８０がソケット軸方向に対して直交する方向へ引張られた際に編組８０の端部が固定金具５０から外れてしまうのを防止することが図られている。
【００４２】
次に、このランプの組立要領を説明する。
【００４３】
▲１▼  ソケット３０内に高圧端子３２、低圧端子３４、及びシール部材３６を装着する。
【００４４】
▲２▼  図１５に示すように、ソケット３０のモールド室３０ａ内に高圧電線端子６２を侵入させ、その嵌入隙間６２ａに高圧ソケット端子３２の端子接触部３２ａを嵌入する。同様に、モールド室３０ａ内に低圧電線端子６４を侵入させ、その嵌入隙間６４ａに低圧ソケット端子３４の端子接触部３４ａを嵌入する。これにより、各ソケット端子３２，３４と電線６０とが接続された状態となる。
【００４５】
▲３▼  前記モールド室３０ａ内に溶融樹脂を流し込んでソケット３０と電線端子６２，６４とを一体化する。換言すれば、モールド室３０ａ内にその形状に対応した形状のモールド体３１（図１４に破線で図示）を成形する。
【００４６】
▲４▼  図１７〜図１９に示すように、ソケット結合部２０にソケット３０を仮嵌合する。すなわち、ソケット結合部２０の突起２７が適当な嵌合溝３７内にその突起入口３７ａから軸方向に進入するようにしてソケット３０とソケット結合部２０とを軸方向に嵌め合わせる。
【００４７】
▲５▼  仮嵌合の後、ソケット３０をソケット結合部２０に対して相対回転させることにより突起２７を嵌合溝３７の奥まで（図２１に示すように嵌合孔部３７ｃに嵌まり込む位置まで）周方向に進入させる。これによりソケット結合部２０とソケット３０との嵌合が完了する（本嵌合）。
【００４８】
▲６▼  編組８０内に電線６０を通した状態のまま当該編組８０の端部の固定金具５０をソケット３０にアプローチさせ（図２３）、当該固定金具５０の凹溝５５とソケット３０の凸部３５とを嵌合させながら、図２４及び図２５に示すように両突出片５８ａの間にばね片１８ａを割込ませてソケット３０及びバルブ１０への固定金具５０の取付を完了する（図２６の状態）。この取付状態で接触部５８，１８同士は接触し、シールドカバー１６、固定金具５０、及び編組８０をまとめてアースに接続することが可能となる。これによって、ソケット３０及び電線６０を連続して覆うシールド装置を構築することができる。
【００４９】
ここで、もし前記ソケット３０とソケット結合部２０との嵌合が不完全な状態である場合、例えば仮嵌合のままの状態である場合には、固定金具５０の凹溝５５とソケット３０の凸部３５とを嵌合した状態で図２７及び図２８に示すように突出片５８ａとばね片１８ａとの角度位置がずれるため、両者を係合することができない。従って、この段階で、ソケット３０とソケット結合部２０との嵌合が完全であるか否かを検知することができる。
【００５０】
ここに示した構造では、編組８０によってソケット３０及び電線６０を連続して覆うようにしているので、前記図１〜図１２に示した従来構造に比べて部品点数が少なく、組立作業も簡単である。また、単一の編組８０によってソケット３０、電線６０の双方を覆っているので、この編組８０さえアースに接続すれば、ソケット３０及び電線６０の双方を確実にシールドできるため、前記従来構造のように編組固定金具２８２とシールドカバー２５０との接触を確実にするために前記図２等に示した接触用ばね片２８３等を設ける等の工夫は要しない。換言すれば、単一の編組８０を用いた簡素な構造でより確実性の高いシールドができるのである。
【００５１】
さらに、この構造では、ソケット３０に取付けられる固定金具５０がバルブ１０のシールドカバー１６に直接接触するようにしているので、簡単な構造でシールドカバー１６のアース接続も確実に行うことが可能となっている。
【００５２】
さらに、この構造では、ソケット３０と固定金具５０とに互いに嵌合可能な凹凸（凸部３５及び凹溝５５）を形成し、その嵌合状態で固定金具５０の接触部５８とシールドカバー１６の接触部１８との角度位置が合致するようにしているので、前記凸部３５と凹溝５５の位置を目安にして両接触部５８，１８の係合を簡単に行うことができる。この効果は、ソケット３０の外周面に凹部を設け、固定金具５０の内周面に前記凹部と嵌合する凸部を設けるようにしても同様に得ることが可能である。
【００５４】
【発明の効果】
以上のように本発明は、放電により発光する発光部を有するバルブと、このバルブに結合されることにより前記発光部を電源に接続するソケットとを備えた放電式ランプにおいて、前記ソケットとこのソケットにつながる電線とを跨って覆うシールド用導体編組を備えたものであるので、簡単且つ低コストの構造で、ソケット及びこれにつながる電線を確実にシールドすることができる効果がある。そして、前記導体編組の端部に、当該導体編組がソケットを覆う状態で当該ソケットに取付けられる取付部を設けているので、その取付作業がより簡便になる。さらに、前記バルブに前記発光部をその一部が露出する状態で覆うシールドカバーを設ける一方、前記導体編組の端部に設けた取付部を導体で構成し、この取付部が前記シールドカバーに直接接触した状態でソケットまたはバルブに取付けられるようにしているので、簡単な構造でバルブ用シールドカバーと導体編組の双方を確実にアース接続でき、より好ましいシールド構造を構築することができる。具体的には、前記取付部の内周面及びソケットの外周面に相互嵌合可能な凹凸を設け、その凹凸が嵌合する相対角度位置で前記取付部が前記シールドカバーと係合するように構成しているので、前記凹凸の位置を目安にして取付部とシールドカバーとの係合を簡単に行うことが可能になる。
【図面の簡単な説明】
【図１】従来の放電式ランプの一例を示す断面図である。
【図２】前記放電式ランプの分解斜視図である。
【図３】前記放電式ランプにおけるソケットの分解斜視図である。
【図４】前記放電式ランプのソケットに電線端子をセットする前の段階を示す断面正面図である。
【図５】前記放電式ランプのソケット本体に電線端子をセットした後であってシール部材をセットする前の段階を示す斜視図である。
【図６】前記放電式ランプのソケット本体にシール部材をセットした後であってソケットカバーを装着する前の段階を示す斜視図である。
【図７】前記ソケットに電線シールド用の編組を結合する前の段階を示す斜視図である。
【図８】前記ソケットに電線シールド用の編組を結合した状態を示す斜視図である。
【図９】前記ソケットをバルブに結合する前の段階を示す斜視図である。
【図１０】前記ソケットをバルブに仮嵌合した段階を示す斜視図である。
【図１１】前記ソケットをバルブに本嵌合した後であってソケット用シールドカバーを装着する前の段階を示す斜視図である。
【図１２】前記ソケット用シールドカバーを装着した状態を示す斜視図である。
【図１３】本発明の実施の形態にかかる放電式ランプの断面正面図である。
【図１４】図１３にかかる放電式ランプの分解斜視図である。
【図１５】図１３にかかる放電式ランプのモールド室内に電線端子をセットした段階を示す断面図である。
【図１６】図１３にかかる放電式ランプにおけるソケットの断面正面図である。
【図１７】図１３にかかる放電式ランプのバルブにソケットを嵌合する前の段階を示す斜視図である。
【図１８】図１３にかかる放電式ランプのバルブにソケットを仮嵌合した段階を示す斜視図である。
【図１９】図１８に示す仮嵌合段階での突起と嵌合溝との位置関係を示す正面図である。
【図２０】図１３にかかる放電式ランプのバルブとソケットとを本嵌合した状態を示す斜視図である。
【図２１】図２０に示す本嵌合状態での突起と嵌合溝との位置関係を示す正面図である。
【図２２】図１３にかかる放電式ランプの編組と固定金具との連結構造を示す断面正面図である。
【図２３】図２０に示す本嵌合状態でのソケットに編組の固定金具をアプローチさせている様子を示す斜視図である。
【図２４】図２３に示す固定金具の接触部とバルブ用シールドカバーの接触部とを係合する直前の段階を示す斜視図である。
【図２５】前記接触部同士の係合を完了した状態を示す斜視図である。
【図２６】図２５の状態を示す断面側面図である。
【図２７】図１８に示した仮嵌合段階のまま固定金具の接触部をシールドカバーの接触部にアプローチさせた状態を示す斜視図である。
【図２８】図２７の状態を示す断面側面図である。
【符号の説明】
１０  バルブ
１２  発光部
１６  シールドカバー
１８  シールドカバーの接触部
２０  ソケット結合部
３０  ソケット
３５  凸部（凹凸）
５０  編組固定金具（取付部）
５５  凹溝（凹凸）
５８  編組固定金具の接触部
６０  電線
８０  編組
【図１】
0004095199.tif 000002
【図２】
0004095199.tif 000003
【図３】
0004095199.tif 000004
【図４】
0004095199.tif 000005
【図５】
0004095199.tif 000006
【図６】
0004095199.tif 000007
【図７】
0004095199.tif 000008
【図８】
0004095199.tif 000009
【図９】
0004095199.tif 000010
【図１０】
0004095199.tif 000011
【図１１】
0004095199.tif 000012
【図１２】
0004095199.tif 000013
【図１３】
0004095199.tif 000014
【図１４】
0004095199.tif 000015
【図１５】
0004095199.tif 000016
【図１６】
0004095199.tif 000017
【図１７】
0004095199.tif 000018
【図１８】
0004095199.tif 000019
【図１９】
0004095199.tif 000020
【図２０】
0004095199.tif 000021
【図２１】
0004095199.tif 000022
【図２２】
0004095199.tif 000023
【図２３】
0004095199.tif 000024
【図２４】
0004095199.tif 000025
【図２５】
0004095199.tif 000026
【図２６】
0004095199.tif 000027
【図２７】
0004095199.tif 000028
【図２８】
0004095199.tif 000029